(57)【要約】【課題】風路中の風の流れを阻害したり異音が発生することもなく、また省スペースで広い面積の光触媒フィルタに均一に紫外線を照射でき、効率良く殺菌や脱臭が行える空気調和機を提供する。【解決手段】本体ケース１内の風路９中に光触媒フィルタ４０を備えた空気調和機において、光触媒フィルタ４０に紫外線を照射する紫外線ランプとして紫外線を平面発光する平面殺菌ランプ２０を用いると共に、この平面殺菌ランプ２０を風路９の側壁に設けた。さらに、光触媒フィルタ４０を平面殺菌ランプ２０の紫外線発光面３１に対して斜めに配置した。【選択図】　　　　図１
2004036922.tif 000002
【特許請求の範囲】
【請求項１】
本体ケース内の風路中に光触媒フィルタを備えた空気調和機において、
前記光触媒フィルタに紫外線を照射する紫外線ランプとして紫外線を平面発光する平面殺菌ランプを用いると共に、この平面殺菌ランプを風路の側壁に設けたことを特徴とする空気調和機。
【請求項２】
前記光触媒フィルタを平面殺菌ランプの紫外線発光面に対して斜めに配置したことを特徴とする請求項１記載の空気調和機。
【請求項３】
前記光触媒フィルタを風路に対して斜めに配置したことを特徴とする請求項１又は請求項２記載の空気調和機。
【請求項４】
前記風路に対して斜めに配置される光触媒フィルタを構成する各積層フィルタ板を風路に対して略平行に形成したことを特徴とする請求項３記載の空気調和機。
【請求項５】
前記平面殺菌ランプは、紫外線発光面の反対面から可視光を発光するもので、この可視光発光面側を本体ケースの前面側に露出させたことを特徴とする請求項１ないし請求項４のいずれかに記載の空気調和機。
【請求項６】
前記構成を除湿機に適用したことを特徴とする請求項１ないし請求項５のいずれかに記載の空気調和機。
【発明の詳細な説明】
【０００１】
【発明の属する技術分野】
本願発明は空気調和機に係わり、特に殺菌や脱臭のための光触媒フィルタを備えた空気調和機に関するものである。
【０００２】
【従来の技術】
光触媒フィルタを使用する場合、紫外線を当ててリフレッシュ（再生）する必要があるためユーザが日光に天日干しをしたり、特開平１１−１８２８８２号公報（Ｆ２４Ｆ　１／００）等に開示されているように、一般的な棒状の紫外線ランプを風路中に設置している。
【０００３】
また、主に空気清浄機では、光触媒フィルタを用いる場合、風路の吹出口に風路に直交する如く光触媒フィルタを設置して、その内側（風上側）に一般的な棒状の紫外線ランプを取り付けている。
【０００４】
【発明が解決しようとする課題】
ところが、上記のように風路中に紫外線ランプを設置した場合、風の流れを阻害したり、風切り音等の異音の発生原因となる。
【０００５】
また、一般的な棒状の紫外線ランプでは、紫外線が全方向に放射状に分散して照射されるため、照射効率が低下すると共に、光触媒フィルタの全面に均一に紫外線を照射することができず、均等にリフレッシュされないので、効率良く殺菌や脱臭を行えなくなる。また、風路の吹出口に風路に直交する如く光触媒フィルタを設置した場合、光触媒フィルタの面積を広くするためには風路を広げる必要があるため、省スペース化にとってマイナス要因となるといった課題があった。
【０００６】
そこで、本願発明はこのような課題を解決するためになされたものであり、風路中の風の流れを阻害したり異音が発生することもなく、また省スペースで広い面積の光触媒フィルタに均一に紫外線を照射でき、効率良く殺菌や脱臭が行える空気調和機を提供することを目的とするものである。
【０００７】
【課題を解決するための手段】
上記のような目的を達成するため、本願発明は、本体ケース内の風路中に光触媒フィルタを備えた空気調和機において、前記光触媒フィルタに紫外線を照射する紫外線ランプとして紫外線を平面発光する平面殺菌ランプを用いると共に、この平面殺菌ランプを風路の側壁に設けたことを特徴とするものである。
【０００８】
さらに、前記光触媒フィルタを平面殺菌ランプの紫外線発光面に対して斜めに配置したことを特徴とするものである。
【０００９】
また、前記光触媒フィルタを風路に対して斜めに配置したことを特徴とするものである。
【００１０】
また、前記風路に対して斜めに配置される光触媒フィルタを構成する各積層フィルタ板を風路に対して略平行に形成したことを特徴とするものである。
【００１１】
また、前記平面殺菌ランプは、紫外線発光面の反対面から可視光を発光するもので、この可視光発光面側を本体ケースの前面側に露出させたことを特徴とするものである。
【００１２】
また、前述した構成を除湿機に適用したことを特徴とするものである。
【００１３】
【発明の実施の形態】
以下、本願発明の実施形態を図面を参照して詳細に説明する。
【００１４】
図１〜図５は、本願発明を除湿機に適用した一実施形態を示す構成図である。
【００１５】
本実施形態の除湿機は、図１に示すように、本体ケース１内が仕切板２で上部と下部とに仕切られている。上部側には、前後方向に冷凍サイクルの熱交換器を構成する蒸発器３と凝縮器４、及びモータ５とファン６から成る送風機７が順次配列されており、本体ケース１の背面側（図１の右側）又は側面側に形成された吸気口（図示せず）から上記蒸発器３、凝縮器４及び送風機７を通って本体ケース１の上面に形成された吹出口８に至る風路９が形成されるようになっている。また、上記蒸発器３や凝縮器４の上部側には、制御基板や操作表示基板等の基板１０が配置されている。
【００１６】
一方、本体ケース１内の下部側には、後側（図１の右側）に上記蒸発器３や凝縮器４と共に冷凍サイクルを構成する圧縮機１１やアキュムレータ（気液分離器）１２が、前側（図１の左側）には蒸発器３で結露して滴下する除湿水を貯留する引き出し式の排水タンク１３が配置されている。
【００１７】
また、本体ケース１の上面側には、図４に示すように、上述した吹出口８が形成されていると共に、持ち運び用の取手１４が可倒自在に取り付けられている。また、前面側には、図５に示すように、上部左側にＯＮ／ＯＦＦボタン１５等が配置された操作表示部１６が設けられており、その右側に下述する平面殺菌ランプ２０の可視光発光面３２側が露出している。
【００１８】
本実施形態においては、吹出口８側の風路９の側壁を構成する本体ケース１の前面側上部側壁に、平面殺菌ランプ２０がその長手方向を横方向にして配置されている。また、吹出口８には、上記平面殺菌ランプ２０及び風路９に対して斜めに光触媒フィルタ４０が配置されている。これにより、省スペースで広い面積の光触媒フィルタ４０を配置して、全面に紫外線を均一に照射することができる。
【００１９】
上記平面殺菌ランプ２０は、平面発光ランプで、一面側からは殺菌効果が最大となる２５３．７ｎｍの波長の紫外線を、他面側から４５２ｎｍの波長の可視光を照射できるように構成されている。
【００２０】
図３に上記平面殺菌ランプ２０の基本的構成と原理を示す。この平面殺菌ランプ２０は、一面側が紫外線を透過するＵＶ透過ガラス（バリューム−ソーダーガラス）２１で形成され、他面側が上記紫外線は透過せずに可視光を透過し内面側に蛍光体２２が塗布された通常のソーダーガラス２３で形成され、内部には水銀蒸気とアルゴンガスが封入され、両側に放電電極２４，２５が配置されている。放電電極２４，２５間にグロー放電が生じると、放電電極２４，２５間を流れる電子２６がアルゴン原子２７や水銀原子２８と衝突する。水銀原子２８と衝突することにより発生した紫外線２９は、一面側のＵＶ透過ガラス２１を透過し、他面側（ソーダーガラス２３側）では蛍光体２２に当たって可視光３０を発生させる。
【００２１】
すなわち、この平面殺菌ランプ２０は、ＵＶ透過ガラス（バリューム−ソーダーガラス）２１側が紫外線発光面３１となり、ソーダーガラス２３側が可視光発光面３２となって、紫外線発光面３１が内側、可視光発光面３２が外側を向くように本体ケース１に取り付けられている。
【００２２】
一方、光触媒フィルタ４０は、二酸化チタンを用いて主に一般的な臭いの源であるアンモニアを分解するフィルタであり、照射される紫外線の光エネルギーで励起されてアンモニア等の臭気成分を酸化分解して脱臭する。吸着された臭気成分は酸化分解されて再生（リフレッシュ）されるので、交換せずに半永久的に使用することができる。ここでは、積層フィルタ板４１によるハニカム構造に形成されている。
【００２３】
上記構成の除湿機は、操作表示部１６のＯＮ／ＯＦＦボタン１５を押すと起動され、送風機７と圧縮機１１が作動して、図示しない吸気口から吹出口８に向かって送風が行われると共に、冷媒が圧縮機１１から凝縮器４、蒸発器３を通り、再び圧縮機１１に戻る冷凍サイクル内を循環される。
【００２４】
これにより、吸気口から本体ケース１内に部屋の空気が吸い込まれ、蒸発器３で冷却されて除湿された後、凝縮器４で暖められ、送風機７を介して吹出口８に送られて、部屋内に吹き出され、部屋の空気中の湿度が下げられる。
【００２５】
また、平面殺菌ランプ２０からの紫外線が照射された光触媒フィルタ４０を通ることによって、殺菌，脱臭された後、吹出口８から部屋内に吹き出される。
【００２６】
本実施形態においては、上述したように、紫外線ランプとして、紫外線を平面発光する平面殺菌ランプ２０を用いると共に、この平面殺菌ランプ２０を風路９の側壁に設けているので、風路９中の風の流れが阻害されたり、異音が発生することもない。
【００２７】
さらに、平面殺菌ランプ２０の紫外線発光面３１に対して光触媒フィルタ４０を斜めに配置しているので、紫外線が放射状に分散せずに広い面積の光触媒フィルタ４０全面に均一に照射されるため、照射効率が向上する。従って、光触媒フィルタ４０内を通る空気中の雑菌を効率良く殺菌でき、また光触媒フィルタ４０に吸着された臭気成分を効率良く分解して脱臭できる。
【００２８】
また、殺菌，脱臭中は、平面殺菌ランプ２０の発光と共に紫外線発光面３１の反対面（可視光発光面３２）から可視光を発光し、本体ケース１の前面側に青色等で点灯表示されるので、別途ＬＥＤ等を設けることなく、使用者は殺菌，脱臭中であることを容易に知ることができる。また、外観上のデザイン効果が向上し、顧客に高級感を与えて訴求効果を得ることができる。
【００２９】
さらに、除湿機に適用したことにより、紫外線の殺菌効果は温度が上がるに従って殺菌力が向上するため、除湿機特有の性質、すなわち吹出空気温度が吸気空気温度より高いという，どちらかというとデメリットとなる性質を逆に利用して殺菌や脱臭を効率良く行うことができるので、特に効果的である。
【００３０】
図６は、本願発明の他の実施形態を示す構成図であり、前記実施形態と同一符号は同一又は相当部分を示している。
【００３１】
本実施形態では、前述したように風路９に対して斜めに配置される光触媒フィルタ４０を構成する各積層フィルタ板４１を風路９に対して略平行に形成したものである。
【００３２】
このように構成することにより、光触媒フィルタ４０を斜めに配置しても風路９中の風の流れが乱されることがないので、風路９中の風の流れがよりスムーズになる。
【００３３】
なお、上記実施形態では、本願発明を除湿機に適用した場合について説明したが、空気清浄機やエアコンなどの空気調和機にも適用可能である。
【００３４】
【発明の効果】
以上のように本願発明によれば、本体ケース内の風路中に光触媒フィルタを備えた空気調和機において、光触媒フィルタに紫外線を照射する紫外線ランプとして紫外線を平面発光する平面殺菌ランプを用いると共に、この平面殺菌ランプを風路の側壁に設けたことにより、風路中の風の流れが阻害されなくなり、異音が発生することもなくなる。
【００３５】
さらに、前記光触媒フィルタを平面殺菌ランプの紫外線発光面に対して斜めに配置したことにより、紫外線が放射状に分散せずに広い面積の光触媒フィルタ全面に均一に照射されるため、照射効率が向上し、効率良く殺菌や脱臭が行えるようになる。
【００３６】
また、前記光触媒フィルタを風路に対して斜めに配置したことにより、省スペースで広い面積の光触媒フィルタを配置することができる。
【００３７】
また、前記風路に対して斜めに配置される光触媒フィルタを構成する各積層フィルタ板を風路に対して略平行に形成することにより、光触媒フィルタを斜めに配置しても風路中の風の流れが乱されることがないので、風路中の風の流れがよりスムーズになる。
【００３８】
また、前記平面殺菌ランプは、紫外線発光面の反対面から可視光を発光するもので、この可視光発光面側を本体ケースの前面側に露出させたことにより、殺菌，脱臭中には本体ケースの前面側に青色等で点灯表示されるので、別途ＬＥＤ等を設けることなく、使用者は殺菌，脱臭中であることを容易に知ることができる。また、外観上のデザイン効果が向上し、顧客に高級感を与えて訴求効果を得ることができる。
【００３９】
また、上述してきた構成を除湿機に適用したことにより、紫外線の殺菌効果は温度が上がるに従って殺菌力が向上するため、除湿機特有の性質である吹出空気温度が吸気空気温度より高いという，デメリットとなる性質を逆に利用して殺菌や脱臭を効率良く行うことができるので、特に効果的である。
【図面の簡単な説明】
【図１】本願発明の一実施形態に係る除湿機の主要部品の配置構成を側面側から見た部品配置構成図。
【図２】上記図１の要部拡大図。
【図３】上記実施形態で用いられる平面殺菌ランプの基本的構成と原理を示す説明図。
【図４】上記実施形態の除湿機の上面図。
【図５】同じく、正面図。
【図６】本願発明の他の実施形態に係る除湿機の主要部品の配置構成を側面側から見た部品配置構成図。
【符号の説明】
１　本体ケース
３　蒸発器
４　凝縮器
７　送風機
８　吹出口
９　風路
１１　圧縮機
１３　排水タンク
２０　平面殺菌ランプ
３１　紫外線発光面
３２　可視光発光面
４０　光触媒フィルタ
４１　積層フィルタ板
【図１】
2004036922.tif 000003
【図２】
2004036922.tif 000004
【図３】
2004036922.tif 000005
【図４】
2004036922.tif 000006
【図５】
2004036922.tif 000007
【図６】
2004036922.tif 000008